(57)【要約】【課題】光ファイバケーブル末端で露出された光ファイバ心線を複数の端末処理寸法で処理できる光ファイバケーブル用ホルダを提供する。【解決手段】光ファイバケーブル用ホルダ１は、本体１０と、本体１０の上面１２に設けられ、光ファイバケーブルの外被を受容する第１の溝１６と、第１の溝１６の底面に設けられ、第１の溝１６よりも狭い幅を有し、光ファイバケーブルの外被を受容する第２の溝１８と、第１の溝１６と交差している第１の当接面２２と、第１の当接面２２とは異なる位置に配置され、第２の溝１８と交差している第２の当接面２４とを備える。【選択図】図１
2010008590.tif 000002
【特許請求の範囲】
【請求項１】
本体と、
前記本体の上面に設けられ、前記本体の一端面から前記本体の長手方向に延在し、光ファイバケーブルの外被を受容する第１の溝と、
前記第１の溝の底面に設けられ、前記第１の溝よりも狭い幅を有し、前記本体の一端面から前記第１の溝と同一の方向に延在し、光ファイバケーブルの外被を受容する第２の溝と、
前記第１の溝の延長線上に配置され、前記第１の溝の延在方向と交差している第１の当接面と、
前記第２の溝の延長線上であって前記第１の当接面と前記延在方向に関して異なる位置に配置され、前記第２の溝の延在方向と交差している第２の当接面とを備える、
光ファイバケーブル用ホルダ。
【請求項２】
前記第１の溝の幅が前記光ファイバケーブルの断面縦寸法と同じかそれより大きく、前記第２の溝の幅が前記光ファイバケーブルの断面横寸法と同じかそれより大きい、請求項１記載の光ファイバケーブル用ホルダ。
【請求項３】
前記第１の溝に前記光ファイバケーブルを嵌入したときの光ファイバ心線の高さ方向の位置と、前記第２の溝に該光ファイバケーブルを嵌入したときの該光ファイバ心線の高さ方向の位置とが、略同じになるように前記第１の溝の深さと前記第２の溝の深さが設定されている請求項２記載の光ファイバケーブル用ホルダ。
【請求項４】
前記第１の当接面と前記第２の当接面との間の前記上面に、表示部をさらに有する請求項１から３のいずれか１項に記載の光ファイバケーブル用ホルダ。
【請求項５】
前記表示部の幅が、該表示部上に配置される前記光ファイバケーブルの幅以下である請求項４記載の光ファイバケーブル用ホルダ。
【請求項６】
前記表示部は貫通孔である請求項４または５に記載の光ファイバケーブル用ホルダ。
【発明の詳細な説明】
【技術分野】
【０００１】
本発明は、光ファイバケーブルの末端で露出された光ファイバ心線の被覆除去や切断の作業で使用する光ファイバケーブル用ホルダに関する。
【背景技術】
【０００２】
断面形状が長方形の外被の中央付近に光ファイバ心線を中心に備え、それを断面形状が略長方形の外被で覆った光ファイバケーブル（ドロップケーブルとも呼ばれる）が、住宅等への光ファイバ配線に使用されている（図８参照）。これら光ファイバケーブルは、その先端にコネクタを直接取り付けて他の光ファイバケーブルへ接続されることがある。このようにケーブルに直接取り付けるコネクタは外被把持型コネクタと呼ばれ、コネクタ内で光ファイバ心線だけでなくケーブルの外被をも固定する構造を有している。コネクタの取り付けに先立ち、光ファイバケーブル末端の外被を除去して露出させた光ファイバ心線の被覆除去や切断の端末処理作業が行われるが、光ファイバ心線とケーブル外被とを固定するコネクタ構造のため、ケーブル外被端部から露出する光ファイバ心線を寸法精度良く端末処理する必要がある。この端末処理作業において、端末処理の寸法精度を高めるために、従来、光ファイバケーブルを載置する光ファイバケーブル用ホルダが使用されている。
【０００３】
例えば、特許文献１には、「押蓋が配置される基台の一面には、この一端から他端に向かう直線上に、連続した凹部を有する光ファイバ心線載置部と、光ファイバケーブル収納部とが形成されていることを特徴とする」光ケーブルホルダが記載されている。また、特許文献２には、「光ファイバ２の長手方向に垂直な基準面１１ａを有する前端壁１１と、前記前端壁１１の中央に設けられて光ファイバ２が挿通される光ファイバ溝１２と、前記前端壁１１の光ファイバ溝１２を介して両側となる両端部１１ｂ，１１ｂから前記基準面１１ａを内側とするように後方に延出された一対の側壁１３，１３と、これらの側壁１３の内面１３ａから突設された弾性片１４，１４，…とを備える」光ファイバホルダが記載されている。
【０００４】
【特許文献１】特開２００６−１２６４８７号公報
【特許文献２】特開２００６−１７８２８９号公報
【発明の開示】
【発明が解決しようとする課題】
【０００５】
光ファイバコネクタやメカニカルスプライスは、多数のメーカーより多種の製品が上市されている。これらの製品においては、光ファイバ心線の被覆端から光ファイバ心線の先端までの切断長や、光ファイバケーブル外被端から光ファイバ心線の先端までの露出長が製品によって異なる場合がある。このような場合、それら製品ごとに、異なる切断長や露出長に対応した複数の光ファイバケーブル用ホルダを使用したり、使用する光ファイバコネクタ専用に被覆除去工具が提供されたりしている。そのため、接続作業者は複数の光ファイバケーブル用ホルダや被覆除去工具を所持して適宜使い分ける必要があり、端末処理作業が煩雑になっていた。
【０００６】
本発明の目的は、光ファイバケーブル末端で露出された光ファイバ心線を複数の端末処理寸法で処理できる光ファイバケーブル用ホルダを提供することにある。
【課題を解決するための手段】
【０００７】
本発明はその一態様において、本体と、本体の上面に設けられ本体の一端面から本体の長手方向に延在し、光ファイバケーブルの外被を受容する第１の溝と、第１の溝の底面に設けられ、第１の溝よりも狭い幅を有し、本体の一端面から第１の溝と同一の方向に延在し、光ファイバケーブルの外被を受容する第２の溝と、第１の溝の延長線上に配置され、第１の溝の延在方向と交差している第１の当接面と、第２の溝の延長線上であって第１の当接面と延在方向に関して異なる位置に配置され、第２の溝の延在方向と交差している第２の当接面とを備える光ファイバケーブル用ホルダを提供するものである。
【発明の効果】
【０００８】
本発明の一態様による光ファイバケーブル用ホルダによれば、１つのホルダで異なる端末処理寸法に光ファイバ心線を処理することができるので、作業者の端末処理作業の煩雑さを軽減することができる。
【発明を実施するための最良の形態】
【０００９】
以下、図面を参照しながら、本発明の光ファイバケーブル用ホルダを説明する。図１は本発明の一実施形態による光ファイバケーブルホルダ１を示す斜視図であり、図２は図１に示す光ファイバケーブルホルダ１のＩＩ−ＩＩ断面における部分断面図である。本実施形態の光ファイバケーブル用ホルダ１（以下、ホルダ１）は、図８に示すような、ケーブルの長手方向に垂直な面における断面形状が略長方形の光ファイバケーブル７０（以下、ケーブル７０）に対して好適に使用することができる。ケーブル７０は、ガラス等で構成された裸ファイバ７１の周囲をＵＶ硬化性の樹脂等の被覆７３で同心状に被覆した光ファイバ心線７２を、ケーブル断面の略中心に備えている。ケーブル７０は、光ファイバ心線７２と、その両側に配されたアラミド繊維等で構成された抗張力材７６とを、ポリエチレン等の樹脂性の外被７４で一括して覆っている。
【００１０】
ホルダ１は略長方体の本体１０の上面１２に、ケーブル断面の長軸が水平となるように（この向きを水平方向とする）ケーブルを載置できる第１の溝１６と、ケーブル断面の長軸が垂直となるように（この向きを垂直方向とする）ケーブルを載置できる第２の溝１８とを備える。本体１０はさらに、第１の溝１６と交差する第１の当接面２２と、第２の溝１８と交差するが第１の溝１６とは交差しない第２の当接面２４とが、ホルダ１の長手方向に関して異なった位置に配置されている。
【００１１】
ケーブル７０は、図５のようにケーブル末端の外被７４を所定長除去して光ファイバ心線７２を露出させた後に、ホルダ１へ載置される。そのケーブル７０を第１の溝１６に載置したときには、ケーブル外被７４の端面７８は第１の当接面２２に対して当接され、そのケーブル７０を第２の溝１８に載置したときにはケーブル外被端面７８が第２の当接面２４に対して当接される。従って、ケーブル７０をホルダ１に載置する向きを変えることで、ケーブル外被端面７８から露出している光ファイバ心線７２の端末処理寸法を変化させることができる。
【００１２】
また、ホルダ１は第１の当接面２２と第２の当接面２４との間に、表示部である貫通孔２０を備えている。この貫通孔２０は、ケーブル７０を水平方向にして適切な位置に載置したときには実質的にその開口部全てがケーブル７０で覆われるが、ケーブル７０を垂直方向にして適切な位置に載置したときには実質的にその全てが視認できる。そのため、ケーブル７０をホルダ１に載置したのちに貫通孔２０を視認できるか否かにより、ケーブル７０の載置位置が適切かどうかを容易に確認することが出来る。
【００１３】
続いて、本発明の一実施形態によるホルダ１を詳細に説明する。ホルダ１は、略長方体の本体１０に、上面１２と本体１０の長手方向の一端面である基準面２８とを備える。ホルダ１は、各種の樹脂や金属などの任意の材料から、切削や射出成形などの公知の方法によって製造することができる。
【００１４】
本体１０は、本体１０の長手方向の一端面から略中央付近までホルダ１の長手方向に延在し、端末処理を行うケーブル７０の端面７８近傍の外被７４を受容する第１の溝１６を、上面１２に隣接して備える。第１の溝１６は本体１０の短軸方向の略中心で、本体１０の長手方向に延在している。第１の溝１６は、図２に示すように横方向に長い略長方形の断面形状を備え、その幅がケーブル７０の断面縦寸法Ｘ（図８参照）に対応し、本体の上面１２から第１の溝１６の底面１６ａまでの深さがケーブル７０の断面横寸法Ｙとほぼ同じか、それよりも大きい寸法を有する。つまり、ケーブル７０は第１の溝１６にケーブル断面の長軸が水平となる向き（水平方向）で載置される（図３参照）。これらの断面寸法は使用されるケーブル７０によって異なるが、例えば、断面縦寸法Ｘは約５ｍｍであり、断面横寸法Ｙは約２ｍｍである。
【００１５】
本体１０には更に、第１の溝１６の延長線上に配置され、第１の溝１６の延在方向と交差する第１の当接面２２を有する。第１の当接面２２は、第１の溝１６の延在方向に対して略垂直に設けられた面であり、ケーブル７０が第１の溝１６に載置されたときに、ケーブル外被７４の端面７８（外被７４の剥き際）が第１の当接面２２に当接される。従って図３に示すように、ケーブル７０の外被端面７８から、切断された光ファイバ心線７２の先端までの長さＡや光ファイバ心線７２の被覆７３の露出部分の長さＢが、第１の当接面２２からの距離によって規定されることとなる。本実施形態では、第１の当接面２２は、本体上面１２から下面１３に貫通する貫通孔２０を画定する一側壁２０ａに設けられている。
【００１６】
本体１０は、本体１０の長手方向の一端面から略中央付近までホルダ１の長手方向に延在し、端末処理を行うケーブル７０の端面７８近傍の外被７４を受容する第２の溝１８を更に有する。第２の溝１８は、第１の溝１６の底面１６ａから下方に凹設された溝であり、第１の溝１６と同様に本体１０の一端から中央付近に向けて延在している。第２の溝１８は、その断面形状が略矩形であり、溝の幅がケーブル７０の断面横寸法Ｙとほぼ同じかそれよりも大きい寸法を有し、ケーブル７０の断面縦寸法Ｘよりも小さい寸法を有する。つまり、ケーブル７０は、ケーブル断面の長軸が垂直となる向き（垂直方向）で第２の溝１８に載置される（図４参照）。一方、第２の溝１８の本体上面１２からの深さは、第１の溝１６の本体上面１２からの深さよりも深く設定されている。第２の溝１８は第１の溝１６の幅方向略中心に配置されている。
【００１７】
本実施形態のホルダ１では、第２の溝１８に垂直方向に載置されたケーブル７０の中心位置（光ファイバ心線７２の位置）が、第１の溝１６に水平方向に載置されたケーブル７０の中心位置（光ファイバ心線７２の位置）よりも低くなるように設定されている。つまり、第２の溝１８にケーブル７０を載置したときに、ケーブル７０が第２の溝１８に深く嵌入されるようになっている。このように設定しておくと、ケーブル７０を第２の溝１８に載置したときにケーブル７０を第２の溝１８内で安定的に固定することができる。
【００１８】
あるいは、第２の溝１８に載置されたケーブル７０の中心位置（光ファイバ心線７２の位置）が、第１の溝１６に載置されたケーブル７０の中心位置（光ファイバ心線７２の位置）と概略同じになるように設定することもできる。このように設定すると、裸ファイバ７１を切断する光ファイバ切断器の切断刃や被覆７３を光ファイバ心線７２から除去する被覆除去器の除去刃と、光ファイバ心線７２との相対的な位置関係が、ケーブル７０をホルダ１に載置する向きによらず略一定に保たれ、裸ファイバ７１の切断や被覆除去を安定して行うことができる。具体的には、第２の溝１８の本体上面１２からの深さを、Ｘ／２＋Ｙ／２に略等しい寸法に設定することができる。このように設定すると、扁平なケーブル７０を水平方向にホルダ１に載置したときでもケーブル７０の略全体が溝１６内に配置でき、ケーブル７０を安定的にホルダ１で保持できる。また、ケーブル７０を垂直方向にホルダ１に載置したときには、ケーブル７０の一部が本体上面１２から突出するため、ケーブル７０を第２の溝１８に指で押し込みやすくなる。
【００１９】
ホルダ１は、第２の溝１８の延長線上に配置され、第２の溝１８の延在方向と交差する第２の当接面２４を有する。第２の当接面２４は、第２の溝１８の延在方向に対して略垂直に設けられた面であり、ケーブル７０が第２の溝１８に載置されたときに、ケーブル外被７４の端面（剥き際）７８が第２の当接面２４に当接される。本実施形態では、第２の当接面２４は第２の溝１８の底面１８ａから上方に突出する当接壁２６の、第２の溝１８に面した表面２６ａに設けられている。当接壁２６には、第２の溝１８に載置されたケーブル７０から露出している光ファイバ心線７２との干渉を防ぐため、光ファイバ心線７２の外径よりも広い幅を有したスリット２７が天端２６ｂから下方に向けて設けられている。スリット２７と天端２６ｂとの交点付近には、光ファイバ心線７２のスリットへの挿入が容易となるように、傾斜面２６ｃ、２６ｃが設けられている。
【００２０】
当接壁２６の天端２６ｂは第１の溝１６の底面１６ａと略同一の平面上に位置するように構成されている。従って、第２の当接面２４は、第１の溝１６に水平方向に載置されたケーブル７０の外被端面７８とは当接しないが、第２の溝１８に垂直方向に載置されたケーブル７０の外被端面７８とは当接することができる。また、第２の当接面２４は、第１の当接面２２とは本体１０の長手方向に関して異なった位置に配置されており、第１の当接面２２が第２の当接面２４よりもホルダ１の長手方向に関して前方（基準面２８寄り）に配置されている。第１の当接面２２と第２の当接面２４との間は任意の距離とすることができ、例えば、２．５ｍｍとすることができる。そのため、ケーブル７０を第１の溝１６に載置した場合と第２の溝１８に載置した場合とで、切断された光ファイバ心線７２先端からケーブル７０の外被端面７８までの長さと、光ファイバ心線７２の被覆７３の端部からケーブル７０の外被端面７８までの長さとを異ならせることができる。このようにして、本実施形態によるホルダ１を使用すると、ケーブル７０の外被端面７８から露出する光ファイバ心線７２を異なった寸法に端末処理することができる。そのため、異なった端末処理寸法を要求するコネクタを接続する場合でも、作業者は１つのホルダ１のみで端末処理を行うことができる。
【００２１】
本体１０の上面１２には、図１に示すように、第１の当接面２２がある貫通孔２０の一側壁２０ａから、基準面２８がある端面まで延在する光ファイバ心線溝１４が設けられる。光ファイバ心線溝１４は、その延在方向における断面形状が矩形の溝であり、溝幅よりも溝深さの方が大きい寸法を有している。この溝は、第１の溝１６または第２の溝１８に載置されたケーブル７０の外被端面７８から突出して露出している光ファイバ心線７２を受容する溝であり、ケーブル７０の外被端面７８から光ファイバ心線７２を直線的に導出する機能を有する。光ファイバ心線溝１４は、光ファイバ心線７２の外径よりも若干大きい幅を有し、本体上面１２からの光ファイバ心線溝１４の深さは、ケーブル７０の外被端面７８から直線上に突出している光ファイバ心線７２の直線性を損なわない程度の深さに設定されている。
【００２２】
貫通孔２０は本体１０の上面１２から下面１３に貫通しており、本体上面１２で第２の溝１８と光ファイバ心線溝１４との間に開口している。本実施形態では、ホルダ１の短軸方向における貫通孔２０の幅は、第１の溝１６の幅と略同一である。つまり、貫通孔２０の幅は、ケーブル７０の断面縦寸法Ｘと略同一である。そのため、ケーブル７０の外被端面７８を第１の当接面２２に当接させて第１の溝１６に配置すると、ケーブル７０の外被７４によって貫通孔２０が実質的に覆われることとなる。従って、ケーブル７０が第１の溝１６に適切に載置されている場合には貫通孔２０は上方から視認できなくなる。一方、ケーブル７０を第２の溝１８に載置すると、ケーブル７０の外被端面７８は第２の当接面２４に当接するように載置される。そのため、貫通孔２０はケーブル外被７４によって覆い隠されること無く、上方から実質的に全て視認可能となる。このように、ケーブル７０を載置したときの貫通孔２０の見え方を確認することで、ケーブル７０のホルダ１への載置が適切な位置で行われているか否かを確認することができる。つまり、貫通孔２０はケーブル７０の載置位置が適切かどうか示す表示部としての機能をも有する。
【００２３】
本体１０は、その長手方向一端面に基準面２８を有する。基準面２８は典型的には本体１０の長手方向に対して略垂直な面である。この基準面２８は、光ファイバ切断器で光ファイバ心線７２を所定の長さで切断するときや、被覆除去器で光ファイバ心線７２の被覆７３を除去するときなどの端末処理作業時に、光ファイバ切断器や被覆除去器に設けられる基準面に当接されて、ホルダ１を切断刃や除去刃から規定の距離だけ離れた位置に配置するための参照面として機能する。
【００２４】
本体１０は上面１２に、曲面状に凹設された凹部３０を備える。凹部３０は光ファイバ心線７２の端末処理作業時に作業者が親指を添える部分として設けられている。凹部３０の最も下方に位置する部分３０ａは、第１の溝１６の底面１６ａと略同一の高さを有しており、第１の溝１６に水平方向に載置されたケーブル７０が凹部３０の凹面３２から突出するようになっている。従って、作業者が指を凹部３０におくと、ホルダ１とケーブル７０とを同時に指で押圧することができる。そのため、作業者の指が滑ることを防止するとともに、本体１０を覆う蓋を有さない本実施形態のホルダ１においても、作業時にケーブル７０がホルダ１から脱落することを防ぐことができる。
【００２５】
第１の溝１６は、その両側の側面１６ｂ、１６ｂの長手方向に離れた二箇所で溝中央に向けて突出する第１の係止片対３４を備える。それぞれの第１の係止片対３４における第１の係止片３４の両側には、第１の溝１６の側面１６ｂから後退した面を有する一対の凹溝３５が形成される。第１の係止片対３４は第１の溝１６に載置されたケーブル外被７４に食い込んで、ケーブル７０をホルダ１に対して固定する機能を有する。第１の係止片３４の両側に設けられた凹溝３５は、第１の係止片３４が食い込むことで隆起したケーブル外被７４の部分を受容することができ、第１の係止片対３４によるケーブル固定強度を向上するように作用する。一方で、第１の係止片対３４は第２の溝１８に載置されたケーブル７０の外被７４には当接しないように、その先端３４ａが第２の溝１８内に突出しない寸法に構成されている。
【００２６】
第２の溝１８は、第２の溝１８の側面１８ｂから溝の内側に向けて突出する第２の係止片対３６と、第２の係止片３６の両側の一対の凹溝３７とを備える。第２の係止片対３６は、本体１０の凹部３０の略中央に配置されている。第２の係止片対３６が配置された本体１０の部分は、凹部３０の最も低い部分３０ａであるので、実質的に第１の溝１６の側面１６ｂを有していない。そのため、第２の係止片対３６は、第１の溝１６に載置されたケーブル７０の外被７４には当接せずに、第２の溝１８に載置されたケーブル７０の外被７４のみに当接することができる。
【００２７】
続いて、本発明の一実施形態によるホルダ１を用いて、ケーブル７０の端末処理を行う手順を説明する。
【００２８】
ケーブル７０は、図５に示すように、コネクタを取り付ける末端部において、所望の長さの光ファイバ心線７２が露出するように外被７４を除去する。このとき、抗張力材７６（図８）も外被７４とともに除去される。
【００２９】
次いで、ケーブル７０をホルダ１に載置する。このとき、接続するコネクタに必要とされる端末処理寸法に対応した溝にケーブル７０を載置する。ここでは、図３に示すように、ケーブル７０を第１の溝１６に、ケーブル７０の外被端面７８が第１の当接面２２に当接するように載置する。
【００３０】
ケーブル７０を載置したホルダ１を、光ファイバ被覆除去器８０にセットする（図６）。このとき、ホルダ１の基準面２８が、被覆除去器８０に設けた基準面８１に当接されるようにして、ホルダ１を被覆除去器８０に向けて押し付ける。被覆除去器８０を閉じてホルダ１を被覆除去器８０から離れる方向に移動させると、一対の被覆除去刃８２の間で光ファイバ心線７２の被覆７３が除去されて、裸ファイバ７１が露出される。
【００３１】
裸ファイバ７１の表面をアルコール等を含浸させた布等で清掃したのち、ホルダ１をファイバ切断器（図示せず）にセットする。このときも、被覆除去器８０のときと同様に、ホルダ１の基準面２８をファイバ切断器の基準面に当接させる。ファイバ切断器をその使用方法に従って操作することで、裸ファイバ７１が切断される。ホルダ１より取り出したケーブル７０は、ケーブル７０の外被端面７８から裸ファイバ７１の先端までの長さがＡ（図３）になっており、ケーブル７０の外被端面７８から光ファイバ被覆７３の除去端までの長さがＢ（図３）となっている。
【００３２】
ケーブル７０を第２の溝１８に載置して、上述の手順と同様にして端末処理を行うと、図４に示すようにケーブル７０の外被端面７８から裸ファイバ７１の先端までの長さがＡ’に、ケーブル７０の外被端面７８から光ファイバ被覆７３の除去端までの長さがＢ’に処理される。ここで、第１の当接面２２と第２の当接面２４とは、本体１０の長手方向に見た貫通孔２０の寸法と当接壁２６の厚みとの和に相当する寸法Ｃだけ、ホルダ１の長手方向へ離れた位置にある。そのため、寸法Ａと寸法Ｂとはそれぞれ寸法Ａ’と寸法Ｂ’とから寸法Ｃだけ短い長さとなる。このように、本実施形態のホルダ１を使用すると、１つのホルダで異なる光ファイバ心線処理長を実現することができる。
【００３３】
さらに、ケーブル７０を第１の溝１６に載置して光ファイバ心線７２の被覆除去を行い、そのケーブル７０を第２の溝１８に載置しなおして裸ファイバ７１の切断を行っても良い。このような処理を行ったケーブル７０では、ケーブル７０の外被端面７８から裸ファイバ７１の先端までの長さがＡ’になっており、ケーブル７０の外被端面７８から光ファイバ被覆７３の除去端までの長さがＢとなっている。つまり、ケーブル７０を第２の溝１８に載置して全ての端末処理を行った場合と比較すると、ケーブル７０の外被端面７８から光ファイバ被覆７３の除去端までの長さをＣだけ短くすることができる。これとは逆に、ケーブル７０を第２の溝に載置して光ファイバ心線７２の被覆除去作業を行い、裸ファイバ７１の切断作業を第１の溝１６に載置して行うと、ケーブルを第１の溝１６に載置して全ての端末処理を行った場合と比較して、ケーブル７０の外被端面７８から光ファイバ被覆７３の除去端までの長さをＣだけ長くすることができる。このように、第１の溝１６と第２の溝１８を有するホルダ１を使用することで、４通りの寸法で端末処理を行うことができる。
【００３４】
次に、図７を参照して、本発明の他の実施形態による光ファイバケーブル用ホルダ１０１（以下、ホルダ１０１）を説明する。なお上述の実施形態と対応する要素には、共通の参照符号をつけて、重複する説明は省略する。
【００３５】
ホルダ１０１は、本体１０と、本体１０の長手方向一端面から略中央付近までホルダ１０１の長手方向に延在し、端末処理を行うケーブル７０の端面７８近傍の外被７４を受容する第１の溝１１６を、上面１２に隣接して備える。第１の溝１１６は、横方向に長い略長方形の断面形状を備え、その幅がケーブル７０の断面縦寸法Ｘとほぼ同じかそれよりも大きい寸法を有し、本体１０の上面１２から第１の溝１１６の底面１１６ａまでの深さがケーブル７０の断面横寸法Ｙとほぼ同じか、それよりも大きい寸法を有する（図８参照）。つまり、ケーブル７０は、第１の溝１１６にケーブル断面の長軸が水平となる向き（水平方向）で載置される。これら断面寸法は使用されるケーブル７０によって異なるが、例えば、断面縦寸法Ｘは約５ｍｍであり、断面横寸法Ｙは約２ｍｍである。
【００３６】
本体１０には更に、第１の溝１１６の内部に配置され、第１の溝１１６の延在方向と交差する第１の当接面１２２を有する。第１の当接面１２２は、第１の溝１１６の延在方向に対して略垂直に設けられた面であり、ケーブル７０が第１の溝１１６に載置されたときに、ケーブル外被７４の端面（剥き際）７８が第１の当接面１２２に当接される。従って、光ファイバケーブル７０の外被端面７８から、切断された光ファイバ心線７２の先端までの長さや光ファイバ心線７２の被覆７３の露出部分の長さが、第１の当接面１２２からの距離によって規定されることとなる。本実施形態では、第１の当接面１２２は、第１の溝１１６の端部で底面１１６ａから本体１０の上面１２に向けて延びる側壁１２６に設けられている。
【００３７】
本体１０は、本体１０の長手方向一端面から略中央付近までホルダ１０１の長手方向に延在し、端末処理を行う光ファイバケーブル７０の端面７８近傍の外被７４を受容する第２の溝１１８を更に有する。第２の溝１１８は、第１の溝１１６の底面１１６ａから下方に凹設された溝であり、第１の溝１１６と同様に本体１０の一端から中央付近に向けて延在している。第２の溝１１８は、その断面形状が略矩形であり、溝の幅が光ファイバケーブル７０の断面横寸法Ｙとほぼ同じかそれよりも大きい寸法を有する。つまり、ケーブル７０は、ケーブル断面の長軸が垂直となる向き（垂直方向）で第２の溝に載置される。一方、第２の溝１１８の本体上面１２からの深さは、第１の溝１１６の本体上面１２からの深さよりも深く設定されている。
【００３８】
ホルダ１０１は、第２の溝１１８の延長線上に配置され、第２の溝１１８の延在方向と交差する第２の当接面１２４を有する。第２の当接面１２４は、第２の溝１１８の延在方向に対して略垂直に設けられた面であり、ケーブル７０が第２の溝１１８に載置されたときに、ケーブル外被７４の端面（剥き際）７８が第２の当接面１２４に当接される。本実施形態では、第２の当接面１２４は、本体上面１２から下面１３に貫通する貫通孔１２０を確定する一側面１２０ａに設けられている。第２の当接面１２４は、第１の当接面１２２とは本体１０の長手方向に関して異なった位置に配置されているので、ケーブル７０を第１の溝１１６に載置した場合と第２の溝１１８に載置した場合とで、ケーブル７０の外被端面７８から切断された光ファイバ心線７２の先端までの長さと、外被端面７８から光ファイバ心線７２の被覆７３の端部までの長さとを異ならせることができる。第１の当接面１２２と第２の当接面１２４との間は任意の距離とすることができ、例えば、２．５ｍｍとすることができる。このようにして、一つのホルダ１０１を使用して、光ファイバ心線７２を異なる寸法で端末処理することができる。
【００３９】
貫通孔１２０は本体１０の上面１２から下面１３に貫通している孔であり、本体１０の長手方向に関して第１の溝１１６と光ファイバ心線溝１４との間の位置で、本体上面１２に開口している。本実施形態では、ホルダ１０１の短軸方向における貫通孔１２０の幅は、第２の溝１１８の幅と略同一である。つまり、貫通孔１２０の幅は、ケーブル７０の断面横寸法Ｙと略同一である。ケーブル７０を第２の溝１１８に載置するときには、ケーブル７０の外被端面７８を第２の当接面１２４に当接させて配置するため、ケーブル７０の外被７４によって貫通孔１２０が実質的に覆われることとなる。従って、ケーブル７０が第２の溝１１８に適切に載置されている場合には貫通孔１２０は視認できなくなる。一方、ケーブル７０を第１の溝１１６に載置すると、ケーブル７０の外被端面７８は第１の当接面１２２に当接するように載置される。そのため、貫通孔１２０はケーブル外被７４によって覆い隠されること無く実質的に全て視認可能となる。このように、ケーブル７０を載置したときの貫通孔１２０の見え方を確認することで、ケーブル７０のホルダ１０１への載置が適切な位置で行われているか否かを確認することができる。つまり、貫通孔１２０はケーブル７０の載置位置が適切かどうか示す表示部としての機能をも有する。
【００４０】
本発明の光ファイバケーブル用ホルダをその実施形態に即して説明したが、上述の実施形態以外にも様々な変形を行うことができる。
【００４１】
表示部は底面を有する凹所とすることができる。この場合、凹所の視認性を向上するために、底面を本体とは異なる色で着色しても良い。また、光ファイバ心線溝は、光ファイバを直線的に案内する機能を有する他の構造と置き換えることが可能であり、例えば、複数の突起を配置することで光ファイバ心線を直線的に案内するようにしても良い。
【図面の簡単な説明】
【００４２】
【図１】本発明の一実施形態による光ファイバケーブル用ホルダの斜視図である。
【図２】図１のホルダのＩＩ−ＩＩにおける断面を示す部分断面図である。
【図３】本発明の一実施形態による光ファイバケーブル用ホルダの第１の溝にケーブルを載置した状態を示す平面図である。
【図４】本発明の一実施形態による光ファイバケーブル用ホルダの第２の溝にケーブルを載置した状態を示す平面図である。
【図５】末端で外被を除去した光ファイバケーブルを示す図である。
【図６】本発明の一実施形態による光ファイバケーブル用ホルダを使用した光ファイバ心線の被覆除去工程を示す図である。
【図７】本発明の他の実施形態による光ファイバケーブル用ホルダを示す平面図である。
【図８】本発明による光ファイバケーブル用ホルダに好適に使用できる光ファイバケーブルの構造を示す断面図である。
【符号の説明】
【００４３】
１、１０１    光ファイバケーブル用ホルダ
１０    本体
１２    上面
１４    光ファイバ心線溝
１６、１１６    第１の溝
１６ａ、１１６ａ    底面
１８、１１８    第２の溝
２０、１２０    貫通孔
２２、１２２    第１当接面
２４、１２４    第２当接面
２６    当接壁
２８    基準面
３０    凹部
３２    凹面
３４    第１の係止爪対
３６    第２の係止爪対
７０    光ファイバケーブル
７１    裸ファイバ
７２    光ファイバ心線
７３    被覆
７４    外被
７６    抗張力材
【図１】
2010008590.tif 000003
【図２】
2010008590.tif 000004
【図３】
2010008590.tif 000005
【図４】
2010008590.tif 000006
【図５】
2010008590.tif 000007
【図６】
2010008590.tif 000008
【図７】
2010008590.tif 000009
【図８】
2010008590.tif 000010